【手続補正書】
【提出日】平成18年10月18日(2006.10.18)
【手続補正１】
【補正対象書類名】明細書
【補正対象項目名】特許請求の範囲
【補正方法】変更
【補正の内容】
【特許請求の範囲】
【請求項１】  印刷装置に装着されるインク容器であって、
前記インク容器に関連する複数の所定情報を格納する記憶装置を備え、
前記記憶装置は、前記各所定情報の記憶に必要な最低限度のビット数の領域を組み合わせた記憶領域を有するインク容器。
【請求項２】  請求項１に記載のインク容器において、前記所定情報は前記インク容器の製造に関連する情報を含むインク容器。
【請求項３】  請求項２に記載のインク容器において、前記記憶領域は、
前記インク容器の製造年情報を格納する７ビットの容量の製造年記憶領域と、
前記インク容器の製造月情報を格納する４ビットの容量の製造月記憶領域と、
前記インク容器の製造日情報を格納する５ビットの容量の製造日記憶領域とを含むインク容器。
【請求項４】  請求項３に記載のインク容器において、
前記各記憶領域は、
製造年記憶領域、製造月記憶領域、製造日記憶領域の順に配置されているインク容器。
【請求項５】  請求項３または請求項４に記載のインク容器において、前記記憶領域は、
前記インク容器の製造時情報を格納する５ビットの容量の製造時記憶領域と、
前記インク容器の製造分情報を格納する６ビットの容量の製造分記憶領域とを含むインク容器。
【請求項６】  請求項５に記載のインク容器において、前記記憶領域は、
前記インク容器内のインクの有効期限情報を格納する６ビットの容量の有効期限記憶領域と、
前記インク容器内のインクの開封後有効期間情報を格納する５ビットの容量の開封後有効期限記憶領域とを含むインク容器。
【請求項７】  請求項６に記載のインク容器において、
前記各記憶領域は、
製造年記憶領域、製造月記憶領域、製造日記憶領域、製造時記憶領域、製造分記憶領域、有効期限記憶領域、および開封後有効期限記憶領域の順に配置されているインク容器。
【請求項８】  請求項２ないし請求項７のいずれかの請求項に記載のインク容器において、前記記憶装置はさらに、
前記インク容器内のインク量に関連する情報を記憶するインク量情報記憶領域を有し、このインク量情報記憶領域は前記製造関連情報より先にアクセスされる位置に配置されているインク容器。
【請求項９】  請求項１ないし請求項８のいずれかの請求項に記載のインク容器において、前記記憶装置はさらに、
前記印刷装置から出力されるクロック信号に基づきカウント値を出力するアドレスカウンタと、
前記記憶領域を有すると共に出力された前記カウント値に基づいてシーケンシャルにアクセスされる記憶素子とを備えるインク容器。
【請求項１０】  印刷装置に装着される請求項１ないし請求項９のいずれかの請求項に記載のインク容器が有する記憶装置に所定情報を書き込む方法であって、
前記インク容器に関連する情報を含む複数の前記所定情報を生成し、
生成された前記所定情報を、その所定情報の記憶に必要な最低限度のビット数の組み合わせにて前記記憶装置に書き込む所定情報の書き込み方法。
【請求項１１】請求項１ないし請求項９に記載のインク容器のうちいずれかのインク容器が装着されて用いられる印刷装置。
【請求項１２】印刷装置に装着されると共にその印刷装置によって所定情報の読み書きが実行されるインク容器に備えられる記憶装置であって、
前記各所定情報の記憶に必要な最低限度のビット数の領域を組み合わせた記憶領域を有する記憶装置。
【請求項１３】請求項１２に記載の記憶装置において、前記所定情報は前記インク容器の製造に関連する情報を含む記憶装置。
【請求項１４】請求項１３に記載の記憶装置において、前記記憶領域は、
前記インク容器の製造年情報を格納する７ビットの容量の製造年記憶領域と、
前記インク容器の製造月情報を格納する４ビットの容量の製造月記憶領域と、
前記インク容器の製造日情報を格納する５ビットの容量の製造日記憶領域とを含む記憶装置。
【請求項１５】  請求項１４に記載の記憶装置において、
前記各記憶領域は、
製造年記憶領域、製造月記憶領域、製造日記憶領域の順に配置されている記憶装置。
【請求項１６】請求項１３または請求項１４に記載の記憶装置において、前記記憶領域は、
前記インク容器の製造時情報を格納する５ビットの容量の製造時記憶領域と、
前記インク容器の製造分情報を格納する６ビットの容量の製造分記憶領域とを含む記憶装置。
【請求項１７】請求項１６に記載の記憶装置において、前記記憶領域は、
前記インク容器内のインクの有効期限情報を格納する６ビットの容量の有効期限記憶領域と、
前記インク容器内のインクの開封後有効期間情報を格納する５ビットの容量の開封後有効期限記憶領域とを含む記憶装置。
【請求項１８】請求項１７に記載の記憶装置において、前記各記憶領域は、
製造年記憶領域、製造月記憶領域、製造日記憶領域、製造時記憶領域、製造分記憶領域、有効期限記憶領域、および開封後有効期限記憶領域の順に配置されている記憶装置。
【請求項１９】請求項１３ないし請求項１８のいずれかの請求項に記載の記憶装置はさらに、
前記インク容器内のインク量に関連する情報を記憶するインク量情報記憶領域を有し、このインク量情報記憶領域は前記製造関連情報より先にアクセスされる位置に配置されている記憶装置。
【請求項２０】  請求項１２ないし請求項１９のいずれかの請求項に記載の記憶装置はさらに、
前記印刷装置から出力されるクロック信号に基づきカウント値を出力するアドレスカウンタを備え、
前記記憶素子は出力された前記カウント値に基づいてシーケンシャルにアクセスされる記憶装置。
【手続補正２】
【補正対象書類名】明細書
【補正対象項目名】００３０
【補正方法】変更
【補正の内容】
【００３０】
（制御ＩＣ２００の説明）
プリントコントローラ４０には各インクカートリッジ１０７Ｋ、１０７Ｆ（記憶素子８０Ｋ、８０Ｆ）に対する読み書きを制御する制御ＩＣ２００が接続されている。この制御ＩＣ２００について図３および図４を参照して説明する。図３は本実施例が適用され得るインクジェットプリンタのキャリッジ１０１の構造を示す分解斜視図である。図４はプリンタ本体１００と制御ＩＣ２００と記憶素子８０Ｋ、８０Ｆとの接続関係を模式的に示す説明図である。
【手続補正３】
【補正対象書類名】明細書
【補正対象項目名】００５１
【補正方法】変更
【補正の内容】
【００５１】
すなわち、図９に示すように、インクジェットプリンタ１のパネルスイッチ９２において電源スイッチがＯＦＦされると、まず、ステップＳＴ１１においてインクジェットプリンタ１が待機中か否かが判断される（ステップＳＴ１１）。待機中でない場合には（ステップＳＴ１１：ＮＯ）、進行中のシーケンスを終了させて（ステップＳＴ１２）、ステップＳＴ１１に戻る。これに対して、インクジェットプリンタ１が待機中の場合には（ステップＳＴ１１：ＹＥＳ）、印刷ヘッド１０にキャッピングを行なった後（ステップＳＴ１３）、印刷ヘッド１０の駆動条件、例えば、駆動波形の電圧値、各色間の色補正を行うカラーＩＤ等を記憶する情報内容を記憶させる（ステップＳＴ１４）。続いて、タイマー値を記憶させ（ステップＳＴ１５）、コントロールパネルの内容、例えば、双方向印刷時の調整値を記憶させる（ステップＳＴ１６）。次に、ＥＥＰＲＯＭ９０に記憶されているインク残量をインクカートリッジ１０７Ｋ、１０７Ｆの各記憶素子８０Ｋ、８０Ｆに記憶させる（ステップＳＴ１７）。
【手続補正４】
【補正対象書類名】明細書
【補正対象項目名】００５５
【補正方法】変更
【補正の内容】
【００５５】
なお、インク残量に関するデータの初期値は、例えば、百分率で表す場合１００であり、印刷処理の実行に伴い０へと減少していく。あるいは、インク残量に代えてインク消費量としても良い。この場合には、初期値は、例えば、百分率で表す場合０であり、印刷処理の実行に伴って１００へと増加していく。百分率の計算にあたっては、プリンタ本体１００がインクカートリッジ１０７Ｋ、１０７Ｆの有する最大インク容量データを有しており、その最大インク容量データと実インク消費量とに基づいて百分率が算出される。あるいは、インクカートリッジ１０７Ｋ、１０７Ｆの記憶素子８０Ｋ、８０Ｆにその最大容量を記憶させるようにしても良い。
【手続補正５】
【補正対象書類名】明細書
【補正対象項目名】００５９
【補正方法】変更
【補正の内容】
【００５９】
次に、カラー・インクカートリッジ１０７Ｆの記憶素子８０Ｆのメモリセル８１Ｆのデータ構造について図１２を参照して詳述する。メモリセル８１Ｆ（記憶素子８０Ｆ）は読み出し・書き込み可能な領域７５０を示すアドレス００〜３８と読み出し専用の領域７６０を示すアドレス４８〜８６までを有している。メモリセル８１Ｆのアドレス００にはシアンインクの残量情報が、アドレス０８にはマゼンタインクの残量情報が、アドレス１０にはイエローインクの残量情報が、アドレス１８にはライトシアンインクの容量情報が、アドレス２０にはライトマゼンタインクの残量情報がそれぞれ８ビットの容量にて格納されている。
【手続補正６】
【補正対象書類名】明細書
【補正対象項目名】００６０
【補正方法】変更
【補正の内容】
【００６０】
また、アドレス２８には印刷ヘッドのクリーニング回数情報が、アドレス３０にはインクカートリッジ１０７Ｆの装着回数情報がそれぞれ８ビットの容量にて格納されている。さらに、アドレス３８には取り付け時間情報が１６ビットの容量にて格納されている。このように、各色インクの残量に関するデータは読み出し・書き込み可能なアドレスの先頭アドレスに割り当てられているので、各色インクの残量に関するデータは最先に書き込みされ得る。また、シアン、マゼンタおよびイエローの各色に関するインク残量情報を先頭３バイト（２４ビット）に割り当て、ライトシアンおよびライトマゼンタの各色に関するインク残量情報を続く２バイト（１６ビット）に割り当てているので、シアン、マゼンタおよびイエローの３色から構成される３色インクカートリッジに対してもこのまま適用し得る。
【手続補正７】
【補正対象書類名】明細書
【補正対象項目名】００６２
【補正方法】変更
【補正の内容】
【００６２】
インク容器の製造に関連する情報は、各情報に応じてその情報を記憶するために要求される最低限度のビット数領域（記憶容量）の組み合わせにて各アドレスに格納される。したがって、各情報に対応する記憶容量は相互に不等長である。例えば、アドレス４８には製造年情報が７ビットの容量で、アドレス４Ｆには製造月情報が４ビットの容量で、アドレス５３には製造日情報が５ビットの容量でそれぞれ格納されている。さらに、アドレス５８には製造時情報が５ビットの容量で、アドレス５Ｄには製造分情報が６ビットの容量で、アドレス６３には製造シリアル番号情報が８ビットの容量でそれぞれ格納されている。また、アドレス６Ｂにはリサイクル回数情報が３ビットの容量で、アドレス８０にはインクの有効期間情報が６ビットの容量で、アドレス８６には開封後有効期間情報が５ビットの容量でそれぞれ格納されている。
【手続補正８】
【補正対象書類名】明細書
【補正対象項目名】００７７
【補正方法】変更
【補正の内容】
【００７７】
インクカートリッジ５００は、ほぼ直方体として形成された容器５１にインクを含浸させた多孔質体（図示しない）を収容し、上面を蓋体５３により封止されている。容器５１の内部には、５色のカラーインクをそれぞれ別個に収容する５つのインク収容部（例えば、インクカートリッジ１０７Ｆにおける１０７Ｃ、１０７ＬＣ、１０７Ｍ、１０７ＬＭ、１０７Ｙ）が区画形成されている。容器５１の底面にはホルダに装着されたときにインク供給針に対向する位置にインク供給口５４が各インク色に応じて形成されている。また、インク供給口側の垂直壁５５の上端には、本体側のレバーの突起に係合する張出部５６が一体に形成されている。この張出部５６は、壁５５の両側に別個に形成されていると共にリブ５６ａを有している。さらに下面と壁５５との間に三角形上のリブ５７が形成されている。また、容器５１は誤挿入防止用の凹部５９を有している。
【手続補正９】
【補正対象書類名】図面
【補正対象項目名】図２
【補正方法】変更
【補正の内容】
【図２】
2000218818.tif 000001
【手続補正１０】
【補正対象書類名】図面
【補正対象項目名】図６
【補正方法】変更
【補正の内容】
【図６】
2000218818.tif 000002
【手続補正１１】
【補正対象書類名】図面
【補正対象項目名】図７
【補正方法】変更
【補正の内容】
【図７】
2000218818.tif 000003
【手続補正１２】
【補正対象書類名】図面
【補正対象項目名】図９
【補正方法】変更
【補正の内容】
【図９】
2000218818.tif 000004
【手続補正１３】
【補正対象書類名】図面
【補正対象項目名】図１１
【補正方法】変更
【補正の内容】
【図１１】
2000218818.tif 000005
【手続補正１４】
【補正対象書類名】図面
【補正対象項目名】図１２
【補正方法】変更
【補正の内容】
【図１２】
2000218818.tif 000006
【手続補正１５】
【補正対象書類名】図面
【補正対象項目名】図１４
【補正方法】変更
【補正の内容】
【図１４】
2000218818.tif 000007